(57)【要約】【課題】良好な装着感を得つつ、使用者が動いてもベルトの位置を決めることができる骨盤矯正ベルトを提供すること。【解決手段】臀部の最も後に出た頂部ＴＰよりも上側から下腹部ＡＢにかけて巻回される第１のベルト２０と、臀部の頂部ＴＰよりも下側である臀下部から下腹部ＡＢに向かい、第１のベルト２０の側面部または前身頃の領域上において装着されるようにした第２のベルト５０と、を有する骨盤矯正ベルトであって、第２のベルト５０は、その一部分が第１のベルト２０と直接又は他の部材を介して接続されており、さらに、臀部の右側を基端とする部分５１ａを有すると共に左側の側面部ＳＤ１を通って下腹部ＡＢ側に向かう左側ベルト５１、及び、この左側ベルト５１とは別に、臀部の左側を基端とする部分５２ａを有すると共に右側の側面部ＳＤ２を通って下腹部ＡＢ側に向かう右側ベルト５２を有している。【選択図】図５
2017143954.tif 000002
【特許請求の範囲】
【請求項１】
臀部の最も後に出た頂部よりも上側から下腹部にかけて巻回される第１のベルトと、前記臀部の前記頂部よりも下側である臀下部から前記下腹部に向かい、前記第１のベルトの側面部または前身頃の領域上において装着されるようにした第２のベルトと、を有する骨盤矯正ベルトであって、
前記第２のベルトは、
その一部分が前記第１のベルトと直接又は他の部材を介して接続されており、
さらに、
前記臀部の右側を基端とする部分を有すると共に左側の側面部を通って前記下腹部側に向かう左側ベルト、及び、この左側ベルトとは別に、前記臀部の左側を基端とする部分を有すると共に右側の側面部を通って前記下腹部側に向かう右側ベルトを有している
ことを特徴とする骨盤矯正ベルト。
【請求項２】
後身頃において、前記第１のベルトは前記第２のベルトに比べて伸長し易いことを特徴とする請求項１に記載の骨盤矯正ベルト。
【請求項３】
前記第１のベルトは、装着状態において、上前腸骨棘よりも後見頃側において、前記上前腸骨棘を避けるように切り欠かれた切り欠き部を有することを特徴とする請求項１又は２に記載の骨盤矯正ベルト。
【請求項４】
前記左側ベルトの上縁は、装着された左側の臀部において、上側に向って突となるように湾曲し、
前記右側ベルトの上縁は、装着された右側の臀部において、上側に向って突となるように湾曲している
ことを特徴とする請求項１乃至３のいずれかに記載の骨盤矯正ベルト。
【発明の詳細な説明】
【技術分野】
【０００１】
本発明は、骨盤を締付けることができる骨盤矯正ベルトに関する。
【背景技術】
【０００２】
骨盤の位置がずれたり緩んだりすることで、例えば、腰痛が起きたり、体形が変化したり、或いは体形変化に伴って尿漏れが起きたりし、このような様々な問題を防止又は修正するために、骨盤矯正ベルトが用いられている。
例えば、妊産婦の場合、産前は、腹部の重量増加やホルモンによる筋肉の緩みに伴って、左右の寛骨が互いに離れる方向に動き易く、産後もこの左右の寛骨の互いに離間した状態が続く場合が増加している。そして、この寛骨間が開いている程、腰痛や体形変化などの程度が大きいことが分かっており、このため、妊産婦は骨盤を締付けるための骨盤矯正ベルトを用いている。
【０００３】
特許文献１に示すベルトは、このような骨盤を締付ける骨盤矯正ベルトの例であり、その図３及び図４に示されるように、互いに分離する上側ベルト１と下側ベルト２を有している。このベルトは、使用に際しては、先ず上側ベルト１を臀部の最も後に出た頂部よりも上側に巻き付け、その後、下側ベルト２を臀部の頂部よりも下側に巻き付け、下側ベルト２の両端部と上側ベルト１の表面とを面ファスナーで止着するようにしている。従って、このベルトは、臀部の最も後に出た部分である頂部を上下で挟むため、上下に位置ズレし難いベルトとなっている。なお、このように臀部の頂部の上下に巻き付ける骨盤矯正ベルトとしては、特許文献２も存在する。
【先行技術文献】
【特許文献】
【０００４】
【特許文献１】登録実用新案第３０４０９２２号公報
【特許文献２】特開２００５−４６５８１公報
【発明の開示】
【発明が解決しようとする課題】
【０００５】
ところで、使用者が身体を動かした際、左右の臀部は同時に、かつ、同じ動きをすることは余りない。そうすると、例えば特許文献１の図４の左右いずれか一方の臀部が動くと、その動きに従って該一方の側にあるベルトの部分が動き、その動きに追従して左右いずれか他方のベルトも動いてしまう。このため、特許文献１のベルトは、正しい位置に装着させることが困難になり、骨盤を効果的に締付けられない事態が生じ得る。
このような問題点を解消するためには、骨盤矯正ベルトを強く締付ければよいが、余り強く締付けると、柔らかい臀部に食い込むなどして、装着感の悪化を招くことになる。
そこで、本発明は、良好な装着感を得つつ、使用者が動いてもベルトを適正な位置に維持することができる骨盤矯正ベルトを提供することを目的とする。
【課題を解決するための手段】
【０００６】
上記課題は、臀部の最も後に出た頂部よりも上側から下腹部にかけて巻回される第１のベルトと、前記臀部の前記頂部よりも下側である臀下部から前記下腹部に向かい、前記第１のベルトの側面部または前身頃の領域上において装着されるようにした第２のベルトと、を有する妊産婦用ベルトであって、前記第２のベルトは、その一部分が前記第１のベルトと直接又は他の部材を介して接続されており、さらに、前記臀部の右側を基端とする部分を有すると共に左側の側面部を通って前記下腹部側に向かう左側ベルト、及び、この左側ベルトとは別に、前記臀部の左側を基端とする部分を有すると共に右側の側面部を通って前記下腹部側に向かう右側ベルトを有している骨盤矯正ベルトにより解決される。
【０００７】
上記発明の骨盤矯正ベルトによれば、臀部の最も後に出た頂部よりも上側から下腹部にかけて巻回される第１のベルトと、臀部の頂部よりも下側である臀下部から下腹部に向かい、第１のベルトの側面部または前身頃の領域上において装着されるようにした第２のベルトとを有する。従って、後身頃側においては、臀部の頂部を間に挟んで、第１のベルトを上側、第２のベルト下側に配置することができ、安定的に装着が可能となる。例えば、第１のベルトが上側にずれようとしても、第２のベルトと臀下部との係止により該上側へのずれを防止でき、逆に、第２のベルトが下側にずれようとしても、第１のベルトと臀上部との係止により該下側へのずれを防止できる。
また、第２のベルトの一部分が第１のベルトと直接又は他の部材を介して接続されているため、第１のベルトを身体に巻き付けた後、第２のベルトを手に取る動き（例えば、かがむ動き）が不要になり、第２のベルトを装着する前に第１のベルトの位置がずれる事態を有効に防止できるし、第１のベルトと第２のベルトのいずれか一方が紛失する事態も防止できる。
さらに、第２のベルトは、左側の側面部を通って下腹部側に向かう左側ベルト、及び、この左側ベルトとは別に、右側の側面部を通って下腹部側に向かう右側ベルトを有している。そうすると、第２のベルトを構成する左側ベルトと右側ベルトとは基本的に別体であるため、互いの干渉を少なくすることができ、このため、いずれか一方が臀部の動きに追従して動いたとしても、いずれか他方が動くことを有効的に防止できる。従って、使用者が動いたとしても骨盤矯正ベルトの適正な位置を保持できる。そして、このように適正に位置決めできるので、過度に臀部を締付ける必要もなく、使用者は良好な装着感を得ることができる。なお、上記「左側ベルトとは別に」とは、右側ベルトと左側ベルトとが完全に分離した状態だけではなく、一部が互いに接続されている状態も含む意味である。
ここで、左側ベルトの基端部を完全に左側の臀部にし、右側ベルトの基端部を完全に右側の臀部にして巻くと、これらのベルトを強く引っ張った際、左右の臀部が互いに離間する方向に動いて、尻が割れるような装着感を招く恐れがある。しかし、本発明の左側ベルトは臀部の右側を基端とする部分を有し、右側ベルトは臀部の左側を基端とする部分を有しているので、第２のベルトを強く引っ張ったとしても、左右の臀部が互いに離間する方向に動くことを有効に防止でき、良好な装着感を得ることができる。
【０００８】
また、好ましくは、後身頃において、前記第１のベルトは前記第２のベルトに比べて伸長し易いことを特徴とする。
従って、第１のベルトは、臀部の下側に比べて凹凸が少ない上側に装着されても、身体の動きに追従して伸長し、位置ずれし難くなって、適正な位置を維持することができる。
また、第１のベルトと第２のベルトは接続されているため、骨盤を締付けるために第２のベルトを強く引っ張った際、第１のベルトもその張力に伴って引っ張られる。そうすると、産前に本ベルトを使用した場合、第１のベルトの装着位置や第１のベルトと第２のベルトの接続位置によっては、腹部を胎児がいる方向に過度に締付けてしまう恐れが生じる。しかし、第１のベルトは比較的伸長し易いため、胎児がいる腹部を過度に締付ける恐れを有効に防止できる。
【０００９】
また、好ましくは、前記第１のベルトは、装着状態において、上前腸骨棘よりも後見頃側において、前記上前腸骨棘を避けるように切り欠かれた切り欠き部を有することを特徴とする。
従って、第１のベルトが腸骨の突出した部分である上前腸骨棘の上に装着されることはなくなり、浮きにより生じる位置ずれを防止できる。
また、この切り欠き部の縁を上前腸骨棘の少し後側に配置して第１のベルトを装着すれば、左右の寛骨を互いに接近させて腰痛を緩和できるように骨盤矯正ベルトを配置可能とすることもでき、この場合、切り欠き部を適正な位置に第１のベルトを装着する際の目印とすることができる。
【００１０】
また、好ましくは、前記左側ベルトの上縁は、装着された左側の臀部において、上側に向って突となるように湾曲し、前記右側ベルトの上縁は、装着された右側の臀部において、上側に向って突となるように湾曲していることを特徴とする。
従って、左側ベルトと右側ベルトは、それぞれ左右の臀部の下側の膨らみとの接触面積を増やすことができ、強く引き締めても臀部への局部的な食い込みを小さくして、良好な装着感を得ることができる。
【発明の効果】
【００１１】
以上説明したように、本発明によれば、良好な装着感を得つつ、使用者が動いてもベルトを適正な位置に維持することができる骨盤矯正ベルトを提供できる。
【図面の簡単な説明】
【００１２】
【図１】本発明の実施形態に係る骨盤矯正ベルトを展開した表面図。
【図２】図１の骨盤矯正ベルトを展開した裏面図（一点鎖線で囲った図は、第１のベルトと第２のベルトとの接続部分を説明するための拡大図）。
【図３】図１の骨盤矯正ベルトを巻いた状態の斜視図。
【図４】図３のＡ−Ａ概略断面図。
【図５】図１の骨盤矯正ベルトを産後の女性に装着した状態を示す図であり、図５（Ａ）はその正面図、図５（Ｂ）はその背面図。
【図６】図１の骨盤矯正ベルトを産後の女性に装着した状態を示す側面図。
【図７】図１の骨盤矯正ベルトを産後の女性に装着した状態を示す側面図。
【発明を実施するための形態】
【００１３】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、各図において付した同じ符号は同様の構成を有している。
【００１４】
〔骨盤矯正ベルト１０の概要〕
本発明の骨盤矯正ベルトは、妊産婦や高齢者などの腰痛を有する者に用いることができるが、図１〜図３に示す本発明の実施形態に係る骨盤矯正ベルト１０は、産前と産後の妊産婦に対して好適に用いることができる。
即ち、出産時に胎児が子宮口を通り易くするため、妊娠数か月以降は子宮口の周りの筋肉を緩めるようになっており、このため、図５（Ａ）に示す一対の恥骨ＳＷ，ＳＷの互いの間隔Ｌが通常より大きく（骨盤が緩んでおり）、この緩みが大きい程、腰痛や体形変化などの程度が大きいことが分かっている。また、近年、共働きや核家族化などの社会現象に伴って、産後すぐに立って動くことが多く、このため、重力が加わった臓器等の重みで恥骨ＳＷ，ＳＷの間隔Ｌが戻り難いケースが増え、骨盤の緩みの回復に長期化するケースが増えている。そこで、このような産前・産後の妊産婦に特有な腰痛を解消するためには、図５（Ａ）に示すように恥骨ＳＷ，ＳＷを含む左右の寛骨ＫＢ，ＫＢを互いに接近するように締付けることが有効である。骨盤矯正ベルト１０はこのような骨盤ＰＶの締付けを主な目的としており、骨盤ＰＶ以外の余計な部分を締付けず、効果的に骨盤ＰＶを締付けるために、骨盤ＰＶの高さＨ１の範囲に装着可能な幅Ｗ１を有している。
【００１５】
具体的には、図１〜図３に示すように、骨盤矯正ベルト１０は、使用者ＵＳの骨盤周りに巻回される帯状の第１のベルト２０と、この第１のベルト２０の概ね後身頃の領域を除いた領域の上において装着される（身体側の面よりも外側に重ねられる）帯状の第２のベルト５０とを有している。第２のベルト５０は、骨盤矯正ベルト１０の下端部１０ａを基点として引っ張ることができ、この基点となる部分以外は、後述するベルトループ３９から引き抜けば、図１の一点鎖線部に示されるように、取り回しが自由である。
このような第１のベルト２０と第２のベルト５０を有することで、使用者ＵＳは、第１のベルト２０を余り力を入れずに（少なくとも第２のベルト５０よりも軽い力で）、予め締め付けたい部分を特定して、ある程度、骨盤ＰＶ周りを締め付けておき、その後、第２のベルト５０を装着して骨盤をしっかりと引き締められるという２段階での装着が可能となる。即ち、一本のベルトだけで骨盤を確実に引き締めようとすると、かなりの力が必要であり、手が震えるなどして正確な位置決めが難しくなるが、本実施形態では、第２のベルト５０でしっかり骨盤を締付ける際、第１のベルト２０で予め位置決めをしているので、その分の位置決めのための力を割く必要がなく、弾性力を十分に利用して強く骨盤周りを締め付けるように引きながら装着することができる。その意味で、第１のベルト２０は位置決め用の位置決めベルトとも言え、第２のベルト５０は骨盤を確実に締め付ける締付ベルトとも言える。なお、第１のベルト２０は第２のベルト５０に比べて骨盤への引き締め力は弱くなるが、その締め付け度合いに応じた相当の締め付け力は有する。
【００１６】
〔第１のベルト２０の概要〕
次に、第１のベルト２０の構成態様について、図５及び図６を適宜参照しながら、図１〜図４を用いて説明する。
図１〜図３に示すように、第１のベルト２０は使用者ＵＳの骨盤周りに巻くことができる長さＬ１を有しており、巻回した後の一方の端部２０ａと他方の端部２０ｂとが、前身頃において着脱可能とされている（図５も参照）。本実施形態の場合、面ファスナーを用いて該着脱可能とされており、一方の端部２０ａの裏側に雄側の面ファスナー２２、他方の端部２０ｂの表側が雌側の面ファスナー２３とされている。また、図の第１のベルト２０では、異なる使用者の体型の違いに応じて、また、同じ使用者でも産前と産後に腰周りの寸法が変化しても、第１のベルト２０を巻いて装着できるように、表面の略全体が雄側の面ファスナー２２を係合できる材料とされている。
【００１７】
第１のベルト２０の素材については、所定の伸縮性を有すると共に弾性力を発揮する素材から形成されており、後述するパイピング部２５を除き、フレンチパイルを貼り合せた素材が利用でき、より好ましくは、高伸縮性・回復性を有する高機能不織布（例えば出光ユニテック(株)製のストラフレックス（商標））の片面にフレンチパイルを貼り合せた素材が利用可能である。このフレンチパイル貼りあわせ素材は、肌触りが良く、第２のベルト５０に比べて肌側に密着する領域が多い第１のベルト２０に好適に利用できる。
なお、第１のベルト２０の周縁部はパイピングがされたパイピング部２５とされているが、このパイピング部２５の材料も所定の伸縮力と弾性力を発揮するのが好ましく、例えばパワーネットやマイクロテープを用いることができる。
【００１８】
第１のベルト２０の全体的な形状については、背面に装着される後身頃２０ｃの幅寸法（図１及び図２の高さ方向の寸法であり、骨盤矯正ベルト１０全体の幅寸法Ｗ１と同じ）が最も大きく、後身頃２０ｃから側面に装着される側面部２０ｄに向かうに従って幅寸法が小さくなり、正面に装着される前身頃２０ｅの幅寸法が最も小さくなっている。
【００１９】
後身頃２０ｃについては、上側の縁部３０が装着状態で略水平であるのに対し、下側の縁部３２は下側に向かって凸となるように湾曲している。そして、この下側の縁部３２を残すようにして、中央部から下部にかけての領域が孔部３４となっており、図２に示すように、裏側から視認した場合、この孔部３４を通して表面側の第２のベルト５０の基端部５０ｃ及びその周辺が視認可能とされている。孔部３４は、略半円形状の孔であり、これにより、後見頃２０ｃの上部３５の幅寸法Ｗ２は中央部が最も小さく、側面部２０ｄ側に向かうに従って大きくなり、かつ、この上部３５の下側の縁３７はアーチ状になっている（この縁３７にもパイピングがされている）。この上部３５は臀部の上側に装着される部分となる（図６及び図７参照。この点については、後で説明する）。
なお、ここでは、後見頃２０ｃには孔部３４が形成されているとしたが、下側の縁部３２を第１のベルト２０とは他の部材であると捉えることもでき、この場合、後見頃２０ｃには孔部３４ではなく下側の縁も含めて大きく切り欠かれており、この切り欠かれた部分に第１のベルト２０のパイピング部２５が延伸しているとも捉えることができる。
【００２０】
側面部２０ｄも、全体的には前見頃２０ｅに向かうに従って幅寸法が小さくなっている。そして、側面部２０ｄは、装着状態において、腸骨の突出した部分である上前腸骨棘（図６及び図７のＣＨの部分）よりも少し後見頃側において、上前腸骨棘を避けるように切り欠かれた切り欠き部２７を有している（換言すれば、上側の縁部が下側に曲げられている）。従って、第１のベルト２０が上前腸骨棘の上に装着されることはなくなり、浮きにより生じる位置ずれを防止できる。また、この切り欠き部２７は第１のベルト２０を装着する際の目印となっており、切り欠き部２７の縁を上前腸骨棘の少し後側に配置して第１のベルト２０を装着すれば（図６及び図７の状態）、骨盤矯正ベルト１０を骨盤の高さの範囲内に装着することができる。これにより、左右の寛骨（図５のＫＢ，ＫＢの部分）を効果的に互いに接近させて、腰痛の緩和が可能となる。
【００２１】
また、側面部２０ｄには、図１及び図３に示すように、第２のベルト５０を通すためのベルトループ３９が設けられている。図４は、このベルトループ３９を説明するための断面図（図３のＡ−Ａ概略断面図）であり、この図に示すように、幅方向Ｘについて、ベルトループ３９は、その両端部３９ａ，３９ｂが第１のベルト２０の周縁にあるパイピング部２５、及びその内側の第１のベルト２０の部分と縫合されている。これに対して、ベルトループ３９は表面側の殆どが第１のベルト２０とは縫合されず、ベルトループ３９と第１のベルト２０の本体部２０１との間に空間部Ｓが形成され、この空間部Ｓ内で、第２のベルト５０は移動が自由となっている。
なお、このベルトループ３９を形成する際、ベルトループ３９となる部材を第１のベルト２０の本体部２０１の略幅方向Ｘに巻いた後に、両端部３９ａ，３９ｂを本体部２０１に縫合し、そして、裏面側も全体的に本体部２０１に縫合している。そして、このベルトループ３９の材料は、伸縮性の略ないテープ等で形成されているため、ベルトループ３９が設けられている第１のベルト２０の部分についても伸縮性は略ない。
【００２２】
前見頃２０ｅについては、図１及び図３に示すように、その幅寸法Ｗ３が長手方向Ｙのいずれの位置でも略同じである。そして、この前見頃２０ｅの幅寸法Ｗ３は、第２のベルト５０の先端部の幅寸法Ｗ４よりも大きく、かつ、人差し指と親指で幅全体を把持できる寸法とされている。
【００２３】
〔第２のベルト５０の概要〕
次に、第２のベルト５０の構成態様について、図５及び図６を適宜参照しながら、図１〜図４を用いて説明する。
第２のベルト５０は、上述のように骨盤を確実に締付けるためのベルトとも言え、長手方向Ｙに沿って伸縮する強い弾性力を有し、この弾性力をもって骨盤を締付けるようにしている。
この第２のベルト５０は、図５に示すように、寛骨臼ＨＢから腸骨ＦＦの下側の間の帯域Ｍに位置するように装着するのが好ましい。何故ならば、恥骨ＳＷの脇から寛骨臼ＨＢにかけて形成された窪みに、脚の付け根の骨が入り込むようになっているため、ここに第２のベルト５０を巻いてしまうと、脚の付け根を締め付けるため、歩行に伴ってずれ易くなる。また、腸骨ＦＦは仙骨ＱＵにあたる位置であり、恥骨ＳＷとは離間しているので、この部分に第２のベルト５０を巻いても効果は余り上がらないからである。
【００２４】
図３及び図４に示す第２のベルト５０は、長手方向Ｙの弾性力を生じさせると共に通気性を考慮して、ナイロン・ポリウレタンからなる硬質パワーネット５０１を利用している。この硬質パワーネット５０１は、複数本のゴム等の弾性体を長手方向Ｙに沿って延びるように設けると共に、この長手方向Ｙに沿った複数本の弾性体の位置を幅方向Ｘに沿ったてぐす状の合成糸で固定している。これにより、第２のベルト５０は、長手方向（巻回方向）Ｙにのみ伸縮力及び弾性力を発揮し、従って、使用者は第２のベルト５０を長手方向Ｙに沿って伸ばし易くすることができる。
なお、図４の一点鎖線で囲った図に示すように、第２のベルト５０は、上述した硬質パワーネット５０１を二重にして強い弾性力を発揮するように形成されており、この二重の硬質パワーネット５０１，５０１の幅方向Ｘの両端部はパイピングされている。
【００２５】
図１及び図３に示すように、第２のベルト５０は、引っ張られても位置を固定すべき基端となる部分（即ち、基端部）５０ｃが後身頃２０ｃにあり（図５（ｂ）も参照）、この基端部５０ｃを基点にして長手方向Ｙに引き伸ばし、そして、その長手方向Ｙの両端部５０ａ，５０ｂが使用者ＵＳの下腹部ＡＢの領域に着脱可能とされている。具体的には、第２のベルト５０の両端部５０ａ，５０ｂは、引っ張られていない状態では、図３に示すように、側面部２０ｄよりの腹部前面に配置されている。そして、両端部５０ａ，５０ｂは、手で把持されて腹部前面の中心側に引っ張られ、手が交差することがないように、腹部前面の中心側に変位させた位置で、第１のベルト２０の表面に着脱可能（本実施形態の場合は面ファスナーで止着可能）とされている。なお、本発明の第２のベルト５０は第１のベルト２０の側面部２０ｄまたは前身頃２０ｅの領域上において装着されればよく、例えば、第２のベルト５０の両端部５０ａ，５０ｂ同士を第１のベルト２０の上の位置において接続するようにしてもよい。
【００２６】
このような第２のベルト５０は、その一部分が直接又は他の部材を介して第１のベルト２０と縫合するなどして接続されている。
本実施形態の場合、図１〜図３に示すように、第２のベルト５０と第１のベルト２０とは、骨盤矯正ベルト１０の後身頃２０ｃであって、かつ、下側の領域において接続されている。
具体的には、第２のベルト５０の基端部５０ｃと第１のベルト２０の後見頃２０ｃの下側の縁部３２とが接続されている。なお、この縁部３２は上述のように第１のベルト２０とは他の部材であると捉えた場合、第２のベルト５０は、その一部分が他の部材を介して第１のベルト２０と接続されていると捉えることができる。
また、図２の一点鎖線で囲った図に示すように、第２のベルト５０の基端部５０ｃは、第１のベルト２０の下端部であって、孔部３４に隣接した図の二重線の部分ＰＴとも接続されている。この接続された部分ＰＴは、長手方向Ｙと略直交する方向Ｘに沿って形成され、第２のベルト５０を長手方向Ｙに引っ張っても、下側の縁部３２を破損・破断する事態を防止している。なお、該部分ＰＴは僅かな領域で、少なくとも第２のベルト５０が接続された縁部３２よりも小さい領域とされている。
第２のベルト５０と第１のベルト２０との接続構造は以上の通りであり、本実施形態のように第２のベルト５０の基端部５０ｃのみを第１のベルト２０と接続するのが好ましい。これにより、第１のベルト２０と第２のベルト５０の互いの干渉を可及的に防止することができる。従って、第２のベルト５０の引き締めに追従して第１のベルト２０が動いてしまう恐れが有効に防止され、例えば、第１のベルト２０の位置決め機能を損なうことなく、第２のベルト５０でしっかりと骨盤を締め付けることができる。
【００２７】
〔骨盤矯正ベルト１０の更なる特徴〕
以下、本実施形態の骨盤矯正ベルト１０の更なる特徴を、装着状態を示す図５〜図７を主に用いて説明する。
図５は骨盤矯正ベルト１０を産後の女性に装着した状態を示す図であり、図５（Ａ）はその正面図、図５（Ｂ）はその背面図である。また、図６は骨盤矯正ベルト１０を産後の女性に装着した状態を示す側面図、図７は骨盤矯正ベルト１０を産前の女性に装着した状態を示す側面図である。
【００２８】
先ず、これらの図の第１のベルト２０は、臀部ＨＰの概ね最も後に出た頂部ＴＰよりも上側から下腹部ＡＢにかけて巻回され、これに対して、第２のベルト５０は、臀部ＨＰの該頂部ＴＰよりも下側である臀下部から下腹部ＡＢに向かい、第１のベルト２０の上に装着されるようになっている。
これにより、産後の女性に骨盤矯正ベルト１０を装着した図６に示すように、後身頃側においては、臀部ＨＰの頂部ＴＰを間に挟んで、第１のベルト２０を上側、第２のベルト５０を下側に配置し、安定的に装着が可能となる。例えば、第１のベルト２０が上側にずれようとしても、第２のベルト５０の臀部ＨＰへの係止により該上側へのずれを防止でき、逆に、第２のベルト５０が下側にずれようとしても、第１のベルト２０の臀部ＨＰへの係止により該下側へのずれを防止できる。
【００２９】
従って、本実施形態の骨盤強制ベルト１０は特に産前・産後で体型が変化する妊産婦に好適に利用できる。図７はこの点を説明するための図であり、この図７に示すように、産前の女性は腹部ＳＡが大きく膨らみ、この膨らみをあたかも下支えするような位置に骨盤矯正ベルト１０の前身頃が装着される。このため、骨盤矯正ベルト１０の下腹部ＡＢと臀部ＨＰの下側である臀下部とを結ぶ方向Ｖ２上にある部分は、下側にいくに従って窄んでおり、下側に位置ずれし易い状態となっている。このような状態であっても、第１のベルト２０は後身頃において臀部ＨＰの上部に係止され、該下側への位置ずれを有効に防止できる。即ち、産前の装着状態では、臀部ＨＰの上部と下腹部ＡＢとを結ぶ方向Ｖ１に力を作用させて、骨盤矯正ベルト１０の位置ずれを効果的に防止しながら、第１及び第２のベルト２０，５０で骨盤を締付けることができる（勿論、図７の臀下部と下腹部ＡＢとを結ぶ方向Ｖ２の引き締めも位置決めに資する）。これに対して、産後の装着では、人の体型にもよるが、図６に示すＶ１，Ｖ２の双方のベクトルで位置ずれを防止しながら、第１及び第２のベルト２０，５０で骨盤を締付けることができる。
【００３０】
なお、図６及び図７に示す第１のベルト２０は、骨盤ＰＶ以外の余計な部分への締付けを防止するため、後身頃において、臀部ＨＰの領域内における上側（即ち、臀部ＨＰの上部）に配置するように構成されているが、本発明はこの態様に限られるものではない。例えば、第１のベルト２０は、臀部ＨＰよりも上側の背中ＢＢに配置されてもよく、この場合、妊婦の腹部を積極的に支える支え帯（妊婦帯・腹帯とも言う）としての機能も発揮することができる。また、このように背中ＢＢと下腹部ＡＢとを結ぶ方向Ｖ３で弾性力を発揮させたとしても、本実施形態の第１のベルト２０は位置決め用としての機能を発揮することが主であって、その弾性力は少なくとも第２のベルト５０に比べて強くないため、胎児に与える影響は少ない。
【００３１】
次に、第１のベルト２０は、少なくとも後身頃において第２のベルト５０に比べて伸長し易く、弾性力も弱くなっており、具体的には、全方向において容易に伸長するようになっている。そうすると、第１のベルト２０が臀部ＨＰの下部に比べて凹凸が少ない上側に装着されても、身体の動きに追従して伸長し、位置ずれし難くなり、第１のベルト２０の骨盤矯正ベルト１０を位置決めするという機能をより有効に発揮できる。
さらに、本実施形態の第１のベルト２０は、厚み方向に所定のクッション性を有しており、これにより装着感を高めるだけでなく、巻き付けた際に背中に密着させて、第１のベルト２０の位置決め機能を高められるようになっている。なお、第１のベルト２０は、図１に示すように、中央部を背骨に上手く当接できるように、後見頃２０ｃの外面の略中央部に目印４４が設けられている。
【００３２】
なお、上述にように第１のベルト２０の後身頃側を図７に示す背中ＢＢに配置する場合、産前の装着状態では胎児に影響を及ぼしかねないが、第１のベルト２０は全体的に伸長し易く、弾性力も比較的弱いので、その影響を抑制することができる。しかも、図２に示すように、第２のベルト５０は第１のベルト２０の後見頃２０ｃの下側の縁部３２、及び／又はその周辺でのみ接続されているため、第２のベルト５０の強力な弾性力に伴って、図７の方向Ｖ３において第１のベルト２０が腹部を締付け過ぎることも抑制でき、胎児がいる腹部を過度に締付ける恐れをより有効に防止できる。
【００３３】
次に、第２のベルト５０については、図５に示すように、左側の側面部ＳＤ１を通って下腹部ＡＢ側に向かう左側ベルト５１、及び、この左側ベルト５１とは別に、右側の側面部ＳＤ２を通って下腹部ＡＢ側に向かう右側ベルト５２を有している。そうすると、左側ベルト５１と右側ベルト５２とは基本的に別体であるため、互いの干渉を少なくすることができ、このため、いずれか一方が臀部ＨＰの動きに追従して動いたとしても、いずれか他方が動くことを有効的に防止できる。従って、使用者ＵＳが動いたとしても骨盤矯正ベルト１０の適正な位置を保持できる。
なお、本実施形態では、左側ベルト５１と右側ベルト５２とは接続されていないが、一部を縫合するなどして接続させても構わず、この際に接続するのは基端部５０ｃ付近であるのが好ましい。
また、本実施形態の左側ベルト５１と右側ベルト５２とは、巻回方向に同様の弾性力を有しているが、使用者の左利き又は右利きに合わせて、その弾性力を変えてもよい（右利きの場合、右側ベルト５２の弾性力を左側ベルト５１の弾性力より大きくし、左利きの場合、左側ベルト５１の弾性力を右側ベルト５２の弾性力より大きくしてもよい）。
【００３４】
この点、左側ベルト５１の基端部を完全に左側の臀部ＨＰ１にし、右側ベルト５２の基端部を完全に右側の臀部ＨＰ２にすると、これらの左右のベルト５１，５２を夫々強く引っ張った際、左右の臀部ＨＰ１，ＨＰ２が互いに離間する方向に動いて、尻が割れるような装着感を招く恐れがある。しかし、本実施形態の左側ベルト５１は右側の臀部ＨＰ２を基端とする部分５１ａを有し、右側ベルト５２は左側の臀部ＨＰ１を基端とする部分を５２ａ有している。従って、これら左右のベルト５１，５２を引っ張っても、尻が割れる恐れを有効に防止できる。
そして、本実施形態の場合、図５（Ｂ）に示すように、左側ベルト５１は、右側の臀部ＨＰ２を基端とする部分５１ａだけでなく、左側の臀部ＨＰ１を基端とする部分５１ｂも有している。また、右側ベルト５２も同様に、左側の臀部ＨＰ１を基端とする部分５２ａだけでなく、右側の臀部ＨＰ２を基端とする部分５２ｂも有している。換言すれば、左側ベルト５１の基端部５１ａ，５１ｂと右側ベルト５２の基端部５２ａ，５２ｂは、それぞれ臀下部の割れ目ＷＲをまたぐように配置されている。従って、左右の臀部ＨＰ１，ＨＰ２を互いに近づける方向に動かすことも有効に防止して、良好な装着感を高めている。なお、図５（Ｂ）の部分５１ａと部分５２ａ、部分５１ｂと部分５２ｂは、それぞれ同様の寸法である。そして、部分５１ａは部分５１ｂよりも寸法が大きく、部分５２ａは部分５２ｂよりも寸法が大きい。
【００３５】
次に、左側ベルト５１は、その上縁５１ｃが左側の臀部ＨＰ１において、上側に向かって突となるように湾曲し、また、右側ベルト５２は、その上縁５２ｃが右側の臀部ＨＰ２において、上側に向かって突となるように湾曲している。従って、左側ベルト５１と右側ベルト５２は、それぞれ左右の臀部ＨＰ１，ＨＰ２の下側の膨らみとの接触面積を増やすことができ、強く引き締めても臀部ＨＰへの局部的な食い込みを小さくすることができる。
なお、左側ベルト５１と右側ベルト５２とは、互いの干渉を最小にするためには完全に分離させるのが好ましいが、製品の強度を考慮すれば、基端部５１ｃ付近において縫合するなどして接続させるのが好ましい。
【００３６】
本発明は、上記実施形態に限定されず、特許請求の範囲を逸脱しない範囲で種々の変更を行うことができる。
例えば、図５（Ｂ）では、左側ベルト５１は、右側の臀部ＨＰ２を基端とする部分５１ａだけでなく、左側の臀部ＨＰ１を基端とする部分５１ｂも有し、また、右側ベルト５２も同様に、左側の臀部ＨＰ１を基端とする部分５２ａだけでなく、右側の臀部ＨＰ２を基端とする部分５２ｂも有している。しかし、本発明はこれに限られず、左側ベルト５１は右側の臀部ＨＰ２のみを基端とし、右側ベルト５２は左側の臀部ＨＰ１のみを基端とするようにしてもよい。
【符号の説明】
【００３７】
１０・・・骨盤矯正ベルト、２０・・・第１のベルト、２７・・・切り欠き部、５０・・・第２のベルト、５１・・・左側ベルト、５２・・・右側ベルト、ＨＰ・・・臀部、ＴＰ・・・頂部、ＡＢ・・・下腹部、ＣＨ・・・上前腸骨棘
【図１】
2017143954.tif 000003
【図２】
2017143954.tif 000004
【図３】
2017143954.tif 000005
【図４】
2017143954.tif 000006
【図５】
2017143954.tif 000007
【図６】
2017143954.tif 000008
【図７】
2017143954.tif 000009